(57)【要約】【課題】    電動工具又は電動工具使用者の装着具に光を発する発光器と、電動工具使用者の装着具又は電動工具に当該発光器の光を検出する光センサを取付けた安全装置であって、前記発光器の光を前記光センサが検出している間は電動工具が駆動し、前記発光器の光を前記光センサが検出できない場合に自動で電動工具の駆動が停止する安全装置を提供する。【解決手段】  光センサ４で前記発光器２の光を検出できない場合に、当該電動工具５の電源スイッチ５ｅを入れた状態で当該電動工具５の電動モータ８に供給する電気を遮断して当該電動モータ８が停止し、かつ該光センサ４で前記発光器２の光が検出されている間に、前記電動モータ８が駆動することを特徴とする。【選択図】  図１
2018094647.tif 000002
【特許請求の範囲】
【請求項１】
光を照射する発光器を電動工具に備えるか、又は該発光器を電動工具使用者の装着具に備え、かつ
該発光器が発する光を検出する光センサを前記電動工具に備えるか、又は該光センサを前記電動工具使用者の装着具に備えた安全装置であって、
該光センサで前記発光器の光を検出できない場合に、
当該電動工具の電源スイッチを入れた状態で当該電動工具の電動モータに供給する電気を遮断して当該電動モータが停止し、かつ
該光センサで前記発光器の光が検出されている間に、
前記電動モータが駆動することを特徴とする電動工具の安全装置。
【請求項２】
請求項１記載の発光器及び光センサをともに前記装着具又は電動工具に取付けた安全装置であって、
前記発光器及び光センサを有していない電動工具又は装着具に、
当該発光器が発する光を反射させる反射体を備えていることを特徴とする請求項１記載の電動工具の安全装置。
【請求項３】
請求項１又は請求項２記載の光センサは、
請求項１又は請求項２記載の発光器に対応付けられた光センサであって、
前記発光器が発する光のみを検出することを特徴とする請求項１又は請求項２記載の電動工具の安全装置。
【請求項４】
請求項１又は請求項２記載の発光器及び光センサは、
請求項１又は請求項２記載の装着具若しくは電動工具に後付けで固定された発光器及び光センサであるか、又は
後付けで着脱自在に固定された発光器及び光センサであるか、又は
予め取付けられた発光器及び光センサであることを特徴とする請求項１又は請求項２記載の電動工具の安全装置。
【請求項５】
請求項１又は請求項２記載の電動工具の電気ケーブルと外部電源との間に自動開閉接続器を配置した安全装置であって、
当該自動開閉接続器は、
請求項１又は請求項２記載の光センサと連動し、
前記光センサが前記発光器が発する光を検出できない場合に、
外部電源から前記電動工具の電動モータに供給される電気の供給を自動で遮断する電気回路を備えていることを特徴とする請求項１又は請求項２記載の電動工具の安全装置。
【請求項６】
請求項１又は請求項２記載の光センサが前記発光器が発する光を検出できない場合に、
外部電源から当該電動工具の電動モータに供給される電気の供給を自動で遮断する電気回路を備えていることを特徴とする請求項１又は請求項２記載の電動工具の安全装置。
【発明の詳細な説明】
【技術分野】
【０００１】
この発明は、研削や切断等を行うための手持ち式の電動工具を使用する際に、使用者が誤って怪我をしないようにするための安全装置に関するものである。
【背景技術】
【０００２】
前記手持ち式の電動工具としては、電動ディスクグラインダ、電動ドリル、電動ノコギリ等があり、加工具として研削砥石やドリル刃、のこ刃等が取り付けられている。
前記手持ち式の電動工具は、電源スイッチを入れることにより内蔵されている電動モータを駆動させ、当該電動工具に取付けられた加工具を連続的に駆動させ、前記電源スイッチを切ることにより前記加工具が停止するようになっている。
例えば、手持ち式の電動ディスクグラインダは、電動モータを内蔵した本体部を把持して、加工具である砥石を回転させつつこれを被加工物に押し付けることにより研削加工等を行う。
このような電動工具は、工場や工事現場等で幅広く使用されているが、回転中の加工具が使用者自身の身体に接触することによる怪我のリスクがあるため、その使用に際しては使用者が安全に十分配慮して使用することと共に、更に安全性を向上させるための装置が求められている。
電動工具の安全装置の従来技術として、当該電動工具に各種センサを設け、該センサと連動して該電動工具の切込速度や駆動停止を制御する下記の従来技術が開示されている。
【０００３】
特許文献１（実開昭６４−３０１５８号公報）「自動バリ取り機におけるグラインダーの切込速度制御装置」には、回転砥石の近傍に光電センサーを配設し、バリ研削時に発生する火花の強弱を検出してグラインダーの切込速度を制御すべく構成してなる自動バリ取り機が開示されている。
【０００４】
特許文献２（特許第５２１４４２３号公報）「電動工具」には、駆動源としての電動モーターと、該電動モーターを起動状態にロックするためのロックオン機構と、加速度センサーを備えた電動工具であって、前記ロックオン機構によるロックオン状態における自由落下中の加速度を前記加速度センサにより検出し、これに基づいて前記電動モーターを停止させる電動工具が開示されている。
【０００５】
特許文献３（特許第３９１６８７２号公報）「電動工具」には、ハンマドリルに光を用いて駆動モーターの制御を行う光学式センサーが設けられ、ハンマドリルから被加工物までの距離を検出し、この距離が所定値になると、駆動モーターに停止信号を送るように構成された電動工具が開示されている。
【先行技術文献】
【特許文献】
【０００６】
【特許文献１】実開昭６４−３０１５８号公報
【特許文献２】特許第５２１４４２３号公報
【特許文献３】特許第３９１６８７２号公報
【発明の概要】
【発明が解決しようとする課題】
【０００７】
電動工具使用者は、電動工具の電源スイッチを入れ、研削砥石等を回転させた状態で作業を行うが、当該作業中に他者から声を掛けられると、当該他者に顔を向けるため、電動工具から目を離すと同時に該電動工具を把持する力が抜けて回転する加工具の勢いで該電動工具が弾き飛ばされ、加工具である研削砥石や刃が被加工面以外の場所に接触して傷を付けたり、使用者自身の体の一部に当たって負傷することがある。
電動工具の安全装置として、下記の従来技術が開示されているが、上記のような使用者が電動工具から目を離した場合の労働災害を防止する従来技術は見当たらない。
【０００８】
特許文献１「自動バリ取り機におけるグラインダーの切込速度制御装置」は、グラインダーの回転砥石の近傍に光電センサーを設置し、モーターの駆動を制御する装置に関するものであるが、バリ研削時に発生する火花の強弱を検出して切込速度を制御するグラインダーに関するものであり、発光器と光センサを備え、該発光器が発する光を光センサで検出できない場合に自動的に駆動が停止する電動工具の安全装置に関するものではない。
【０００９】
特許文献２「電動工具」は、使用者がロックオン状態の電動工具を誤って落下させた場合に、自由落下中の加速度を当該電動工具の加速度センサーで検出して電動モータを停止させ、床面等の傷つきを少なくする電動工具に関するものであり、発光器と光センサを備え、該発光器が発する光を光センサで検出できない場合に自動的に駆動が停止する電動工具の安全装置に関するものではない。
【００１０】
特許文献３「電動工具」は、フレームの前部から被加工物までの距離を検出して所定値以下になると、電動工具の発光部から受光部に向けて光が発光され、駆動モータが停止する構成に関するものであるが、フレームの前部から被加工物までの距離が所定値になると電源が自動的にＯＦＦする電動工具に関するものであり、電動工具使用者の視線が外れて発光器が発する光を光センサで検出できない場合に自動的に駆動が停止する電動工具の安全装置に関するものではない。
【００１１】
この発明の目的は、前述のような従来技術が有する問題点に鑑みてなされたもので、
電動工具又は電動工具使用者の装着具に光を発する発光器と、電動工具使用者の装着具又は電動工具に当該発光器の光を検出する光センサを取付けた安全装置であって、前記発光器の光を前記光センサが検出している間は電動工具が駆動し、前記発光器の光を前記光センサが検出できない場合に自動で電動工具の駆動が停止する安全装置を提供する。
【課題を解決するための手段】
【００１２】
請求項１の発明に係る安全装置は、
光を照射する発光器を電動工具に備えるか、又は該発光器を電動工具使用者の装着具に備え、かつ
該発光器が発する光を検出する光センサを前記電動工具に備えるか、又は該光センサを前記電動工具使用者の装着具に備えた安全装置であって、
該光センサで前記発光器の光を検出できない場合に、
当該電動工具の電源スイッチを入れた状態で当該電動工具の電動モータに供給する電気を遮断して当該電動モータが停止し、かつ
該光センサで前記発光器の光が検出されている間に、
前記電動モータが駆動することを特徴とする。
【００１３】
請求項２の発明に係る安全装置は、
請求項１記載の発光器及び光センサをともに前記装着具又は電動工具に取付けた安全装置であって、
前記発光器及び光センサを有していない電動工具又は装着具に、
当該発光器が発する光を反射させる反射体を備えていることを特徴とする。
【００１４】
請求項３の発明に係る安全装置は、
請求項１又は請求項２記載の光センサが、
請求項１又は請求項２記載の発光器に対応付けられた光センサであって、
前記発光器が発する光のみを検出することを特徴とする。
【００１５】
請求項４の発明に係る安全装置は、
請求項１又は請求項２記載の発光器及び光センサが、
請求項１又は請求項２記載の装着具若しくは電動工具に後付けで固定された発光器及び光センサであるか、又は
後付けで着脱自在に固定された発光器及び光センサであるか、又は
予め取付けられた発光器及び光センサであることを特徴とする。
【００１６】
請求項５の発明に係る安全装置は、
請求項１又は請求項２記載の電動工具の電気ケーブルと外部電源との間に自動開閉接続器を配置した安全装置であって、
当該自動開閉接続器が、
請求項１又は請求項２記載の光センサと連動し、
前記光センサが前記発光器が発する光を検出できない場合に、
外部電源から前記電動工具の電動モータに供給される電気の供給を自動で遮断する電気回路を備えていることを特徴とする。
【００１７】
請求項６の発明に係る安全装置を備えた電動工具は、
請求項１又は請求項２記載の光センサが前記発光器が発する光を検出できない場合に、
外部電源から当該電動工具の電動モータに供給される電気の供給を自動で遮断する電気回路を備えていることを特徴とする。
【発明の効果】
【００１８】
請求項１の発明に係る安全装置は、
光を照射する発光器を電動工具に備えるか、又は該発光器を電動工具使用者の装着具に備え、かつ
該発光器が発する光を検出する光センサを前記電動工具に備えるか、又は該光センサを前記電動工具使用者の装着具に備えた安全装置であって、
該光センサで前記発光器の光を検出できない場合に、
当該電動工具の電源スイッチを入れた状態で当該電動工具の電動モータに供給する電気を遮断して当該電動モータが停止し、かつ
該光センサで前記発光器の光が検出されている間に、
前記電動モータが駆動するので、
電動工具使用者が電動工具の使用中に他者から声を掛けられ、他者に顔を向けて電動工具から目を離した場合に、電動工具の駆動が自動的に停止し、誤って当該電動工具の回転中の砥石や刃が壁や突起物等に当たって電動工具が弾き飛ばされ、回転中の砥石や刃が使用者の体の一部に接触することによって発生する裂傷事故等を防止することが可能である。
【００１９】
請求項２の発明に係る安全装置は、
請求項１記載の発光器及び光センサをともに前記装着具又は電動工具に取付けた安全装置であって、
前記発光器及び光センサを有していない電動工具又は装着具に、
当該発光器が発する光を反射させる反射体を備えているので、
前記発光器及び光センサを有していない電動工具又は装着具に、反射板や反射鏡等の反射体を設けることにより、容易に電動工具使用時の安全を確保することが可能である。
【００２０】
請求項３の発明に係る安全装置は、
請求項１又は請求項２記載の光センサが、
請求項１又は請求項２記載の発光器に対応付けられた光センサであって、
前記発光器が発する光のみを検出するので、
日中の晴れた日の屋外や照明光等で照らされた屋内の作業においても、電動工具が太陽光や照明等で誤作動することがない。
【００２１】
請求項４の発明に係る安全装置は、
請求項１又は請求項２記載の発光器及び光センサが、
請求項１又は請求項２記載の装着具若しくは電動工具に後付けで固定された発光器及び光センサであるか、又は
後付けで着脱自在に固定された発光器及び光センサであるか、又は
予め取付けられた発光器及び光センサであるので、
発光器及び光センサを市販されている装着具若しくは電動工具に後付けすることにより、既存の電動工具に容易にかつ安価に後付けし、電動工具使用時の安全を確保することが可能である。
また、発光器及び光センサを予め組み込んだ装着具若しくは電動工具を使用することにより、従来の作業手順や方法を変えることなく、当該製品を購入し、作業を行うことで、電動工具使用時の安全を確保することが可能である。
【００２２】
請求項５の発明に係る安全装置は、
請求項１又は請求項２記載の電動工具の電気ケーブルと外部電源との間に自動開閉接続器を配置した安全装置であって、
当該自動開閉接続器が、
請求項１又は請求項２記載の光センサと連動し、
前記光センサが前記発光器が発する光を検出できない場合に、
外部電源から前記電動工具の電動モータに供給される電気の供給を自動で遮断する電気回路を備えているので、
市販の電動工具を改造することなく、容易に安全装置を導入することが可能である。
また、発光器や光センサは、外部電源に接続された自動開閉接続器から電気の供給を受けることができるため、当該発光器や光センサと外部電源を接続したり、発光器や光センサ自体に電池を内蔵することなく、該発光器や光センサの作業用の電気を確保することが可能である。
【００２３】
請求項６の発明に係る安全装置を備えた電動工具は、
請求項１又は請求項２記載の光センサが前記発光器が発する光を検出できない場合に、
外部電源から当該電動工具の電動モータに供給される電気の供給を自動で遮断する電気回路を備えているので、
電動工具の電気ケーブルに自動開閉接続器等の機器を追加で取付けることなく、電動工具使用時の安全を確保することが可能である。
【図面の簡単な説明】
【００２４】
【図１】本発明に係る安全装置１の（ａ）電動工具５駆動状態、（ｂ）電動工具５停止状態の事例を示す概略図である。
【図２】電動工具５の電気ケーブル１２ａと外部電源９との間に自動開閉接続器１３を配置した安全装置１の事例を示す概略図である。
【発明を実施するための形態】
【００２５】
本発明に係る電動工具の安全装置の実施形態例について図１から図２を参照しながら説明する。なお、本発明は下記の実施形態にのみ限定されるものではない。本発明の要旨を逸脱しない範囲で下記の構成要素の省略または付加、構成要素の形状等の実施形態の変更を加えることが出来るのはもちろんである。また、図は概略を示すもので、一部のみを描き詳細構造は省略した。
【００２６】
図１は、本発明に係る安全装置１であって、当該安全装置１は、光を照射する発光器２と、当該発光器２が発する光を検出する光センサ４で構成され、該発光器２が発する光を該光センサ４で検出できない場合に電動工具５の電動モータ８（図示しない）が停止する装置である。（ａ）は電動工具５の電動モータ８が駆動している状態、（ｂ）は電動工具５の電動モータ８が停止している状態を示している。
発光器２を電動工具使用者Ｕ（以下、使用者Ｕ）の装着具３又は電動工具５に取付けた構成とするとともに、光センサ４を電動工具５又は電動工具使用者Ｕの装着具３に取付けた構成とする。発光器２又は光センサ４の個数は、通常１個であるが、必要であれば複数個設けても良い。図１は、１個の発光器２を装着具３、１個の光センサ４を電動工具５に取付けた事例を示している。
発光器２又は光センサ４は、保護眼鏡３ａ、ヘルメット３ｂ、防塵マスク３ｃ等の顔面又は顔面近傍の使用者Ｕの装着具３に装着する。また、該光センサ４は、電動工具使用者Ｕが他者から話し掛けられて顔を当該他者方向に向けること等により所定の範囲以上に顔を動かした場合に、該光センサ４が発光器２の照射範囲Ｌから外れる配置とする。図１は、発光器２を装着具３の１つである保護眼鏡３ａに取付けた場合の事例である。
前記発光器２又は光センサ４を取付ける装着具３として、前掛け、手袋、安全靴等、使用者Ｕの顔が他者に向けられて電動工具５から目を離した場合に、該発光器２の照射範囲Ｌから光センサ４が外れない位置関係となるものは不適切である。
発光器２又は光センサ４を取付ける電動工具５は、手持ち式の電動ディスクグラインダ、電動ドリル、電動ノコギリ等とする。図１は、電動工具５として電動ディスクグラインダ５ａを使用した場合の事例である。
光センサ４又は発光器２は、使用者Ｕが前記電動工具５で作業を行う場合に、当該光センサ４又は発光器２が使用者Ｕの手で覆われず、かつ使用者自身の身体の一部や装着具３等の陰に隠れない位置に取付けるものとする。電動ディスクグラインダ５ａの場合、光センサ４又は発光器２の取付位置は、砥石５ｄのカバー５ｃ近傍の本体部５ｂ上部等が適切である。
【００２７】
このように電動工具５の安全装置１を構成することにより、電動工具使用者Ｕが電動工具５の使用中に他者から声を掛けられ、他者に顔を向けて電動工具５から目を離した場合に、電動工具５の駆動が自動的に停止し、誤って当該電動工具５の回転中の砥石や刃が壁や突起物等に当たって電動工具５が弾き飛ばされ、回転中の砥石や刃が使用者の体の一部に接触することによって発生する裂傷事故等を防止することが可能である。
【００２８】
ここまで発光器２を装着具３、光センサ４を電動工具５に取付けた電動工具の安全装置１の事例を示したが、発光器２を電動工具５、光センサ４を装着具３に取付けた安全装置１としても良い。
また、発光器２及び光センサ４をともに装着具３又は電動工具５に取付けた安全装置１とすることも可能であり、このような安全装置１とした場合は、該発光器２及び光センサ４を有していない電動工具５又は装着具３に、該発光器２が発する光を反射させる反射板や反射鏡等の反射体１１（図示しない）を取付けた構成とする。
【００２９】
発光器２は、使用者Ｕが電動工具５に顔を向けている場合に、光センサ４又は反射体１１に到達し、かつ光センサ４が検出可能な光を発するものとし、その光は断続光とする。当該発光器２は、１個の発光器に１個又は複数個の発光素子を備えているものとし、発光素子として発光ダイオード等を使用する。
また、光センサ４は、発光器２に対応付けられた光センサ４であって、発光器２が発する光又は反射体１１で反射する光のみを検出するものとする。当該光センサ４には、フォトダイオード、フォトトランジスタ、ＣＣＤ等を使用する。
【００３０】
発光器２が発する光は、ＬＥＤ光又はレーザー光であって、赤外線等の所定のパルス光とする。
また、発光器２に複数の発光素子を備え、各々の発光素子が異なる色の光を発光するか、又は互いに異なるタイミングで順次発光するようにしても良い。
いずれの場合も光センサ４は、前記発光器２が発する光の種類や発光パターンを識別して検出することが可能なものとする。
発光器２が発する光の種類や発光パターンについては、上記に限らず、種々の種類やパターンを採用することが可能である。
【００３１】
また、発光器２が発する光は、使用者Ｕが電動工具５使用時に顔面や肩等を微小に揺らした場合でも、光センサ４が検出できるように、光センサ４を覆うに足る程度の十分な発光広がり角を有すものとする。
【００３２】
上記のように、発光器２が発する所定の光のみを検出する光センサ４を使用することにより、例えば、日中の晴れた日の屋外や照明光等で照らされた屋内で電動工具５を使用した場合に、当該光センサ４が太陽光や照明等の光を検出して電動工具５が誤作動することがなく、安全に運用することが可能である。
【００３３】
発光器２及び光センサ４は、市販されている装着具３若しくは電動工具５に後付けで固定するか、又は市販されている装着具３若しくは電動工具５に後付けで着脱自在に固定するか、又は装着具３若しくは電動工具５に予め取付けることとする。
市販されている装着具３若しくは電動工具５に発光器２及び光センサ４を後付けで固定する場合は、接着剤等で外れないように固定する。
市販されている装着具３若しくは電動工具５に発光器２及び光センサ４を後付けで着脱自在に固定する場合は、面ファスナーやワンタッチベルト、ワイヤー等（図示しない）で装着具３又は電動工具５に取外しが容易にでき、かつ作業時に外れないように固定する。
発光器２及び光センサ４を装着具３若しくは電動工具５に予め取付ける場合は、該装着具３又は電動工具５に、該発光器２及び光センサ４を１部品として組み込み、製品化する。
また、発光器２又は光センサ４は、使用者Ｕが電動工具５を使用する場合に支障をきたさないよう、軽量で小型のものとする。
【００３４】
発光器２及び光センサ４を市販されている装着具３若しくは電動工具５に後付けすることにより、既存の電動工具５に容易にかつ安価に導入し、電動工具５使用時の安全を確保することが可能である。
また、発光器２及び光センサ４を予め組み込んだ装着具３若しくは電動工具５を使用することにより、従来の作業手順や方法を変えることなく、当該製品を購入し、作業を行うことで、電動工具５使用時の安全を確保することが可能である。
【００３５】
図２は、電動工具５の電気ケーブル１２ａと外部電源９との間に自動開閉接続器１３を配置した安全装置１の事例を示す概略図である。
この安全装置１は、電動工具５の電源スイッチ５ｅを入れた状態で、電動モータ８の駆動又は停止を光の発光と検出により自動化するものである。電動工具５が電動ディスクグラインダ５ａの場合、通常本体部５ｂの下側に電源スイッチ５ｅが配置されており、この電源スイッチ５ｅを入れると、電動ディスクグラインダ５ａに内蔵された電動モータ８が駆動して砥石５ｄが回転する。
該自動開閉接続器１３は、電気ケーブル１４で光センサ４と接続されている。この電気ケーブル１４は、給電用の電力ケーブル１４ａと、通信用の信号ケーブル１４ｂとで構成され、当該電力ケーブル１４ａと信号ケーブル１４ｂを同一被覆内に内包した一本のケーブルとした形態、又は電力ケーブル１４ａと信号ケーブル１４ｂを分けて二本のケーブルに分離した形態のいずれでも良い。図２は電気ケーブル１４を一本のケーブルとした事例を示している。
まず初めに、光センサ４が光を検出した場合に電動工具５が駆動する流れを説明する。前記自動開閉接続器１３は、前記光センサ４と連動し、当該光センサ４によって発光器２が発する光が検出されている間は、自動開閉接続器１３に内蔵された電気回路７の自動開閉スイッチ１０ｂ（図示しない）が切れずに、電動モータ８に給電されて駆動する。
次に、光センサ４が光を検出できない場合に電動工具５が停止する流れを説明する。光センサ４が光を検出できなくなった場合は、電気回路７が遮断され、電動モータ８に給電されずに停止する。
電動工具５が停止した場合は、再度光センサ４が発光器２の光を検出することにより、電動モータ８が再起動する。
なお、更に安全な装置とするために、電動工具５の電源スイッチ５ｅを切ることにより、前記電気回路７の遮断状態を解除するように構成しても良い。このように構成することにより、例えば、電源スイッチ５ｅが入った状態で一度停止した電動工具５の光センサ４が発光器２の光を再び検出し、予期せず電動モータ８が再起動することによって発生する使用者Ｕの負傷事故等を防止することが可能である。
この自動開閉接続器１３は、電気ケーブル１２ｂを設けて外部電源９に接続し、電源工具５への給電用電気及び該自動開閉接続器１３の作動用電気を確保する。
【００３６】
この安全装置１は、市販の電動工具５を改造することなく、電気回路７が内蔵された自動開閉接続器１３を購入するのみで、容易に導入可能である。
また、発光器２や光センサ４は、外部電源９に接続された自動開閉接続器１３から電気の供給を受けることができるため、当該発光器２や光センサ４と外部電源９を接続したり、発光器２や光センサ４自体に電池を内蔵することなく、作動用の電気を確保することが可能である。
【００３７】
続いて、電動工具５に予め安全装置１を組み込んだ場合に、該安全装置１が作動する流れを説明する。
まず初めに、光センサ４によって、発光器２が発する光が検出されている間は、電動工具５に内蔵された電気回路６の自動開閉スイッチ１０ａ（図示しない）が切れずに、外部電源９から電動工具５の電動モータ８に給電されて駆動する。
次に、光センサ４が光を検出できなくなった場合は、電気回路６が遮断され、電動モータ８に給電されずに停止する。
電動工具５が停止した場合は、再度光センサ４が発光器２の光を検出することにより、電動モータ８が再起動する。
なお、更に安全な装置とするために、電動工具５の電源スイッチ５ｅを切ることにより、前記電気回路６の遮断状態を解除するように構成しても良い。このように構成することにより、例えば、電源スイッチ５ｅが入った状態で一度停止した電動工具５の光センサ４が発光器２の光を再び検出し、予期せず電動モータ８が再起動することによって発生する使用者Ｕの負傷事故等を防止することが可能である。
【００３８】
電動工具５内部に、前記電気回路６を組み込むことにより、電気ケーブル１２と外部電源９との間に自動開閉接続器１３等を追加で接続する場合と比べて、電動工具５の取扱いが容易で、安全を確実に確保することが可能である。
【００３９】
以下、発光器２及び光センサ４を作動させるための電気を確保する方法の事例について説明する。
発光器２を電動工具５に後付けで取付ける場合又は装着具３に取付ける場合、その発光器２を作動させるための電気は、該発光器２に電気ケーブル（図示しない）等を設けて外部電源９に接続して確保するか、又は該発光器２に電池を内蔵して確保する。
光センサ４を装着具３に取付ける場合又は電動工具５に後付けで取付ける場合、その光センサ４を作動させるための電気は、該光センサ４と自動開閉接続器１３を              電気ケーブル１４で連結し、自動開閉接続器１３を介して外部電源９により確保する。
発光器２又は光センサ４を電動工具５に予め取付ける場合、つまり内蔵する場合、その発光器２又は光センサ４を作動させるための電気は、電動工具５の電気ケーブル１２ａを外部電源９に接続して確保する。
また、前記発光器２に、発光のＯＮとＯＦＦを切り替えるスイッチ（図示しない）を設けても良い。
【産業上の利用可能性】
【００４０】
この発明に係る安全装置は、工場や工事現場等で使用されている電動工具において幅広く採用することが可能であり、上記の実施形態に限定されることなく、その要旨を逸脱しない範囲で種々の構成変更が可能である。
【符号の説明】
【００４１】
１ 安全装置        
２ 発光器      
３ 装着具                
３ａ 保護眼鏡
３ｂ ヘルメット
３ｃ 防塵マスク
４ 光センサ
５ 電動工具
５ａ 電動ディスクグラインダ
５ｂ 本体部
５ｃ カバー
５ｄ 砥石
５ｅ 電源スイッチ
６ 電動工具５の電気回路
７ 自動開閉接続器１３の電気回路
８ 電動モータ
９ 外部電源
１０ 自動開閉スイッチ
１０ａ 電源回路６の自動開閉スイッチ
１０ｂ 給電回路７の自動開閉スイッチ
１１ 反射体
１２ 電気ケーブル
１２ａ 電動工具５の電気ケーブル
１２ｂ 自動開閉接続器１３の電気ケーブル
１３ 自動開閉接続器
１４ 電気ケーブル
１４ａ 電力ケーブル
１４ｂ 信号ケーブル
Ｕ 電動工具使用者
Ｌ 光の照射範囲
【図１】
2018094647.tif 000003
【図２】
2018094647.tif 000004